(57)【要約】【課題】  面倒な調整作業を必要とせず、発光部筐体を装置本体の収納部内から安定して突出させ、また、収納することができるストロボ装置を提供する。【解決手段】  装置本体２６の収納部２９内に収納された発光部筐体２７の係合部３３に係止する係止部４０を一端部に設け、他端部に当接部４１を設けた揺動自在の係止レバー３４と、発光部筐体２７のリブ３２と当接するカム部４４をアーム部４３から突出させた揺動自在の復帰レバー３５と、先端部４７が前記係止レバー３４付近と復帰レバー３５に当接する位置との間で揺動するスイングアーム３６と、前記スイングアーム３６を揺動させないように保持する状態と開放する状態とに切り替えるソレノイド３８とが装置本体２６に取り付けられ、前記係止レバー３４の係止部４０が発光部筐体２７の係合部３３と係止するように係止レバー３４の当接部４１を押圧するプッシャ３７が前記スイングアーム３６に備えられる。【選択図】  図１
2005301014.tif 000002
【特許請求の範囲】
【請求項１】
ソレノイドをＯＦＦすることにより固定されＯＮすることにより移動可能となる可動部と、前記可動部に当接する当接部と発光部筐体を係止する係止部とを備えた係止レバーと、前記可動部が固定されることで前記係止レバーにより係止されて収納状態とされ、前記可動部が移動可能となることで前記係止レバーの係止を解除するための付勢により起立する発光部筐体と、前記発光部筐体の起立動作により前記ソレノイドを可動鉄心が吸着され前記可動部を固定する位置に復帰させる復帰部とを備え、前記可動部は一端に前記当接部と当接し付勢により可動部を移動させることなく入出可能なプッシャを備えたポップアップ型のストロボ装置であって、
前記可動部は、一端が軸支され、他端が前記係止レバーと復帰部との間で揺動可能なスイングアームであることを特徴とするストロボ装置。
【請求項２】
前記プッシャは、前記スイングアームの幅方向に摺動可能となるように該スイングアームの他端に取り付けられていることを特徴とする請求項１に記載のストロボ装置。
【請求項３】
前記プッシャの付勢は、前記ソレノイドの吸着力を越えない範囲で前記発光部筐体の付勢よりも強く設定されていることを特徴とする請求項１または２に記載のストロボ装置。
【発明の詳細な説明】
【技術分野】
【０００１】
本発明は、放電管などを内蔵した発光部筐体や、この発光部筐体を取り付けるベース部材などを備えたストロボ装置に関し、詳しくは、ストロボを使用しないときには発光部筐体をベース部材内に収納し、使用するときには発光部筐体をベース部材から突出させるようにしたストロボ装置に関する。
【背景技術】
【０００２】
カメラなどに内蔵されるストロボ装置としては、例えば、放電管などを備えたストロボ本体が非使用時にベース部材内に収納され、使用時にのみベース部材から突出するようにしたものが提案されている（例えば、特許文献１参照）。
【０００３】
このようなストロボ装置は、図７に示すように、ストロボ本体１が収納状態にあるときに、スイッチＯＮによって自己保持型のソレノイド２に通電されると、可動鉄心３を保持していた磁力がゼロとなり、バネ４の図示時計回りの回動付勢力で、可動鉄心３が図示左方向に突出する。
【０００４】
このとき、緊定レバー５の下部が可動鉄心３に押されるため、緊定レバー５は、バネ６の引張り付勢力に抗して軸７を中心に図示時計回りに傾倒し、これにより、図８に示すように、ストロボ本体１の係合部８に対する緊定レバー５上部のラッチが解除され、バネ９の回動付勢力によって、図９に示すように、ストロボ本体１がベース部材から立ち上がって起立した姿勢となる。すると、図１０に示すように、ストロボ本体１の下部に当接してバネ保持レバー４ａを押し下げていたピン１０がバネ４の回動付勢力によって上方に押し上げられるため、バネ保持レバー４ａはフリーになり、可動鉄心３を左方向に押すバネ４の回動付勢力が消失する。
【０００５】
その結果、ストロボ本体１は、バネ６の引張り付勢力によって、緊定レバー５がバネ４の回動付勢力に抗して図示反時計回りに回動して、図１０に示すような起立状態となる。このとき、可動鉄心３は、図示右方向に押されてソレノイド２の磁力によって保持される。この状態で、ストロボ機能を使用する。使用後は、ストロボ本体１を指で押し下げることで、再び、図７に示す収納状態に戻すことができる。
【０００６】
しかし、このようなストロボ装置にあっては、緊定レバー５に作用する２つのバネ４，６の付勢力の釣り合い条件の設定が大変難しく、かつ、部品点数も増えるという問題がある。そこで、例えば、図１１および図１２に示すようなストロボ装置も提案されている。
【０００７】
このストロボ装置は、放電管（図示せず）などを備えた発光部筐体１１がベース部材１２に設けられた収納部１３内に収納した状態と突出した状態とに揺動するようにしたものであるが、発光部筐体１１を収納部１３内に係止させる緊定レバーを付勢するためのバネを単一としている。
【０００８】
すなわち、発光部筐体１１が起立姿勢となるように付勢するためのつる巻き捩りバネ１４の両端部が発光部筐体１１とベース部材１２とに取り付けられている。そして、ベース部材１２の底面にスライド部材１５が摺動可能に重ね合わされ、さらに、このスライド部材１５上にスライド押さえ板１６が摺動可能に重ね合わされている。スライド押さえ板１６の２か所には長孔１７，１７が形成され、この長孔１７，１７からスライド部材１５に２つの押さえネジ１８，１８が締められ、スライド押さえ板１６がスライド部材１５上で摺動することができるようにされている。
【０００９】
さらに、スライド押さえ板１６の中間部には開口部が形成され、この開口部内に引張りバネ１９が配置されている。引張りバネ１９の一端はスライド部材１５に取り付けられ、他端はスライド押さえ板１６に取り付けられ、スライド押さえ板１６が図示左方向に移動しても、図示右方向に戻るようにされている。
【００１０】
そして、スライド部材１５の一端が、自己保持型のソレノイド２０の可動鉄心２１に連結されている。このソレノイド２０は、通常、すなわち、スイッチがＯＦＦの状態において、可動鉄心２１を磁力によって保持し、スライド部材１５がつる巻き捩りバネ１４のバネ力に抗して図示右側に位置するようにしている。このソレノイド２０が可動鉄心２１を保持する力は引張りバネ１９の張力よりも大きく設定している。このとき、スライド押さえ板１６の一端部がソレノイド２０の磁力および引張りバネ１９のバネ力により、係止レバー２２の当接部２３を押圧することにより、係止レバー２２の鉤形の係止部２４が発光部筐体１１の窪んだ係合部２５に係合することにより、発光部筐体１１が収納部１３内に収納された状態が維持される。
【００１１】
そして、スイッチがＯＮされると、ソレノイド２０は磁力がなくなり、可動鉄心２１を保持しなくなる。すると、スライド部材１５およびスライド押さえ板１６が図示左方向に移動可能となり、つる巻き捩りバネ１４のバネ力により、発光部筐体１１が係止レバー２２の係止部２４を押しのけて収納部１３内から飛び出し、起立した姿勢となり、ストロボ機能を使用することができる。
【００１２】
発光部筐体１１が完全に起立姿勢となる直前において、発光部筐体１１の枢軸５１付近に設けられたリブ５２が、スライド部材１５に突設された復帰アーム５３に当接することにより、スライド部材１５とスライド押さえ板１６とが図示右方向に移動し、スライド押さえ板１６の押圧部が係止レバー２２の当接部２３を押圧することにより、係止レバー２２が起立した姿勢とされる。
【００１３】
そして、ストロボ装置を使用した後は、発光部筐体１１を指で押し下げることで、再び、収納部１３内に収納された状態（図示せず）に戻すことができる。発光部筐体１１が完全に収納状態となる直前において、係止レバー２２の係止部２４が発光部筐体１１の端部に押圧されて、係止レバー２２が傾倒するとともにスライド押さえ板１６が図示左方向に押圧されるが、この押圧は引張りバネ１９により吸収され、引張りバネ１９の張力よりも大きい磁力のソレノイド２０からは可動鉄心２１が外れないようになっている。発光部筐体１１が完全に収納されると、引張りバネ１９によってスライド押さえ板１６が図示右方向に押圧され、スライド押さえ板１６の押圧部が係止レバー２２の当接部２３を押圧し、係止レバー２２が起立姿勢とされることにより、係止レバー２２の係止部２４が発光部筐体１１の係合部２５に係止し、発光部筐体１１は、収納部１３内に収納された状態を維持する。
【特許文献１】特開平７−３６０９５号公報
【発明の開示】
【発明が解決しようとする課題】
【００１４】
図１１および図１２に示す従来のストロボ装置にあっては、スライド部材１５とスライド押さえ板１６とがそれぞれ摺動自在となるように重ね合わされ、２つの押さえネジ１８，１８で押さえられている。そして、その両部材１５，１６が互いに相対移動する際には、面接触状態で摺動し合うため比較的に大きな摩擦力が作用する。
【００１５】
したがって、これら互いに摺動し合う２つの部材１５，１６の相対移動動作を円滑に行わせるためには、２つの押さえネジ１８，１８の押さえ加減を精度よく調整しなければならないが、その調整作業は大変困難である。
【００１６】
そこで、本発明は、面倒な調整作業を必要とすることなく、発光部筐体をベース部材の収納部内から安定して突出させ、また、収納することができるようにしたストロボ装置を提供することを課題とする。
【課題を解決するための手段】
【００１７】
本発明に係るストロボ装置は、ソレノイドをＯＦＦすることにより固定されＯＮすることにより移動可能となる可動部と、前記可動部に当接する当接部と発光部筐体を係止する係止部とを備えた係止レバーと、前記可動部が固定されることで前記係止レバーにより係止されて収納状態とされ、前記可動部が移動可能となることで前記係止レバーの係止を解除するための付勢により起立する発光部筐体と、前記発光部筐体の起立動作により前記ソレノイドを可動鉄心が吸着され前記可動部を固定する位置に復帰させる復帰部とを備え、前記可動部は一端に前記当接部と当接し付勢により可動部を移動させることなく入出可能なプッシャを備えたポップアップ型のストロボ装置であって、前記可動部は、一端が軸支され、他端が前記係止レバーと復帰部との間で揺動可能なスイングアームであることを特徴としている。
【００１８】
本発明のストロボ装置によれば、可動部をスイングアームで構成しているので、スイングアームの軸支部分のみをネジ締め等で固定すればよく、調整が容易でネジの締めすぎによる動作不良の発生も低減することができる。
【００１９】
また、前記ストロボ装置において、前記プッシャは、前記スイングアームの幅方向に摺動可能となるように該スイングアームの他端に取り付けられていることが好ましい。
【００２０】
このストロボ装置によれば、プッシャが可動部としてのスイングアームの他端に取り付けられているとともに、スイングアームの幅方向に摺動可能とされているので、従来例のようにスライド部材１５（可動部）とスライド押さえ板１６（プッシャ）とが互いの長さ方向で重なり合い摺動するために互いの摺動抵抗が増大し動作不良が起こるといった心配がない。
【００２１】
また、前記ストロボ装置において、前記プッシャの付勢は、前記ソレノイドの吸着力を越えない範囲で前記発光部筐体の付勢よりも強く設定されていることが好ましい。
【００２２】
このストロボ装置によれば、発光部筐体の収納状態において、プッシャの押圧力が係止レバーの係止を解除する付勢に打ち勝つため、係止レバーの係止が不用意に解除されて発光部筐体が起立してしまうことがない。また、プッシャの押圧力がソレノイドの吸着力を超えない範囲に設定されているので、発光部筐体を収納する際にソレノイドが外れて発光部筐体が収納できなくなるといったことがなくなる。
【発明の効果】
【００２３】
本発明によれば、従来のような動作部の摺動抵抗を低く抑えており、しかも簡素な構成としているので、生産性が向上するだけでなく、品質にばらつきが生じないようにし、しかも耐久性を向上させることができる。したがって、本発明は、所定の品質を備えたストロボ装置を安価に提供することができるようになる。
【発明を実施するための最良の形態】
【００２４】
本発明に係るストロボ装置の一実施形態について図１ないし図６を参照しながら説明する。このストロボ装置は、ベース部材２６、発光部筐体２７、係止レバー３４、復帰アーム３５、スイングアーム３６、プッシャ３７、そしてソレノイド３８を備えている。
【００２５】
ベース部材２６には、発光部筐体２７を埋め込む状態に収納する収納部２９が設けられ、駆動機構２８が取り付けられている。
【００２６】
発光部筐体２７は、放電管（図示せず）などを備え、支点３０においてベース部材２６の側面に揺動自在に支持られ、つる巻き捩りバネのようなバネ（以下、「捩りバネ」という。）３１によってベース部材２６の収納部２９から突出して起立した姿勢となるように付勢されている。また、発光部筐体２７の支点３０側には、突起のようなリブ３２が設けられている。さらに、発光部筐体２７の先端側には、窪んだ形状の係合部３３が設けられている。係合部３３が窪んだ形状とされることにより、発光部筐体２７がベース部材２６の収納部２９内に容易に収納されるが、収納部２９の形状を変形させることにより、係合部３３は突出した形状などとすることもできる。
【００２７】
係止レバー３４は、中間部が支点３９において揺動自在にベース部材２６の側面に取り付けられ、一端側に前記発光部筐体２７の係合部３３に係止する鉤形の係止部４０が設けられ、他端側に幅を広くした当接部４１が設けられている。
【００２８】
復帰アーム３５は、請求項に記載の復帰部であり、図１に示すように、基端部が支点４２において揺動することができるようにベース部材２６の側面に取り付けられ、振子のように往復動するアーム部４３と、このアーム部４３の側面から突出し、前記発光部筐体２７のリブ３２と接離するカム部４４とが備えられている。そして、復帰アーム３５は、つる巻き捩りバネのような捩りバネ４５によってカム部４４が発光部筐体２７のリブ３２の方に付勢するようにされている。
【００２９】
スイングアーム３６は、基端部が支点４６において揺動自在にベース部材２６の底面に取り付けられ、先端部４７が前記係止レバー３４の当接部４１付近と復帰アーム３５のアーム部４３側との間で往復動するようにされている。スイングアーム３６の先端部４７には、復帰アーム３５のアーム部４３と接離する突出部４８が突設されている。
【００３０】
スイングアーム３６の先端部４７には、スイングアーム３６の幅方向に往復動する棒状のプッシャ３７が備えられている。プッシャ３７の中間部には鍔部が形成され、この鍔部とスイングアーム３６の復帰アーム３５側の側端との間に圧縮コイルバネのようなバネ（以下、「スライドバネ」という。）４９が巻装され、プッシャ３７の端部が係止レバー３４の当接部４１を押圧するように付勢されている。
【００３１】
スイングアーム３６の中間部には、自己保持型のソレノイド３８の可動鉄心５０が取り付けられている。可動鉄心５０は、通常、磁力によって退入した状態に保持されるが、スイッチ（図示せず）がＯＮされると、ソレノイド３８の磁力がなくなり、可動鉄心５０が突出・退入自在となり、スイングアーム３６が揺動可能に開放される。スイングアーム３６の中間部には突起が設けられ、可動鉄心５０にはこの突起を係入する長穴が形成され、可動鉄心５０が突出したときに、スイングアーム３６の先端側が復帰アーム３５側に移動するようにされている。ソレノイド３８の磁力は、捩りバネ３１およびスライドバネ４９の付勢力よりも強く設定されている。
【００３２】
このストロボ装置は、このように構成され、次に動作について説明する。まず、図１に示すように、発光部筐体２７が収納部２９内に収納されている状態においては、図２（ｂ）に示すように、ソレノイド３８の可動鉄心５０が退入し、スイングアーム３６の先端部４７が係止レバー３４の方に位置し、プッシャ３７の先端部が図２（ａ）に示すように係止レバー３４の当接部４１を押圧した状態となっている。したがって、図１に示すように係止レバー３４の係止部４０が発光部筐体２７の係合部３３を係止し、発光部筐体２７は、捩りバネ３１のバネ力に抗して収納部２９内に収納された状態となる。
【００３３】
そして、スイッチがＯＮされると、ソレノイド３８の磁力がなくなり、捩りバネ３１のバネ力により発光部筐体２７は係合部３３にて係止レバー３４の係止部４０を押しのけるようになっている。したがって、係止レバー３４が図４（ａ）に示すように傾倒し、当接部によりプッシャ３７が押されて、図４（ｂ）に示すように、スイングアーム３６の先端部４７が復帰アーム３５の方に傾き、可動鉄心５０がソレノイド３８から外れるとともに、図３に示すように、発光部筐体２７はベース部材２６の収納部２９から突出する。このとき、スイングアーム３６の突出部４８が復帰アーム３５のアーム部４３に当接する。
【００３４】
引き続き、発光部筐体２７は、捩りバネ３１のバネ力によって収納部２９内から立ち上がる。すると、発光部筐体２７のリブ３２が図５に示すように復帰アーム３５のカム部４４を押圧し、復帰アーム３５を係止レバー３４の方へ傾倒させる。すると、復帰アーム３５のアーム部４３がスイングアーム３６の突出部４８を押圧し、スイングアーム３６の先端部４７を係止レバー３４の方へ戻す。このとき、可動鉄心５０がソレノイド３８に退入することによって、スイングアーム３６はソレノイド３８の磁力によって保持された状態となる。その後、発光部筐体２７が起立しきると、復帰アーム３５は捩りバネ４５により元の位置へ戻される。
【００３５】
そして、発光部筐体２７を収納部２９内に戻すときは、捩りバネ３１のバネ力に抗して、指で発光部筐体２７を収納部２９の方に押し付ける。このとき、スイングアーム３６は、ソレノイド３８に保持された状態となっていることから、復帰アーム３５の方に戻ることなく、プッシャ３７が係止レバー３４の当接部４１を押圧している。
【００３６】
ただし、発光部筐体２７が収納部２９内に完全に収納される直前において、係止レバー３４の係止部４０が発光部筐体２７の側面に押され、傾斜する。このとき、係止レバー３４の当接部４１は、プッシャ３７の先端部を押圧するが、ソレノイド３８の磁力はスライドバネ４９の弾性よりも強く設定されているので、スライドバネ４９が圧縮されることとなる。
【００３７】
そして、発光部筐体２７が収納部２９内に完全に収納されると、係止レバー３４の係止部４０が発光部筐体２７の係合部３３内に係合する。このとき、係止レバー３４の当接部４１は、スライドバネ４９に付勢されるプッシャ３７に押圧されるため、係止レバー３４の係止部４０が発光部筐体２７の係合部３３から外れることがなく、発光部筐体２７は、捩りバネ３１のバネの力によって収納部２９内から飛び出ないようにされている。したがって、スライドバネ４９は、捩りバネ３１のバネ力よりも大きなバネ力を有しているものが使用される。
【００３８】
なお、本発明は、前記の実施形態に限定することなく特許請求の範囲に記載した技術的事項の範囲内において種々変更することができる。例えば、各バネ３１，４５，４９は、前記のバネに限定することなく、使用条件に適した各種バネを使用することができる。
【産業上の利用可能性】
【００３９】
本発明に係るストロボ装置は、品質にばらつきが生じることなく、効率的に製造され、このストロボ装置を組み込んだカメラなどに有用である。
【図面の簡単な説明】
【００４０】
【図１】本発明に係るストロボ装置の一実施形態であって発光部筐体が収納部内に収納されている状態を示す正面図
【図２】同じく、発光部筐体が収納されている状態であって、（ａ）は要部正面図、（ｂ）は要部底面図
【図３】同じく、発光部筐体が収納部から突出している途中の状態を示す正面図
【図４】同じく、発光部筐体が収納部から突出している途中の状態であって、（ａ）は要部正面図、（ｂ）は要部底面図
【図５】同じく、発光部筐体が収納部から完全に突出し、起立している状態の正面図
【図６】同じく、ストロボ装置の要部斜視図
【図７】従来のストロボ装置の初期状態の説明図
【図８】同じく、従来のストロボ装置におけるストロボ本体の係止状態を解除した状態の説明図
【図９】同じく従来のストロボ装置におけるストロボ本体を突出させた状態の説明図
【図１０】同じく、従来のストロボ装置におけるストロボ本体を収納する前の状態の説明図
【図１１】前記と異なる従来のストロボ装置の正面図
【図１２】同じく、従来のストロボ装置の底面図
【符号の説明】
【００４１】
２６  ベース部材
２７  発光部筐体
２９  収納部
３０  支点
３１  バネ（捩りバネ）
３２  リブ
３３  係合部
３４  係止レバー
３５  復帰アーム
３６  スイングアーム
３７  プッシャ
３８  ソレノイド
４０  係止部
４１  当接部
４３  アーム部
４４  カム部
４５  バネ
４７  先端部
４８  突出部
【図１】
2005301014.tif 000003
【図２】
2005301014.tif 000004
【図３】
2005301014.tif 000005
【図４】
2005301014.tif 000006
【図５】
2005301014.tif 000007
【図６】
2005301014.tif 000008
【図７】
2005301014.tif 000009
【図８】
2005301014.tif 000010
【図９】
2005301014.tif 000011
【図１０】
2005301014.tif 000012
【図１１】
2005301014.tif 000013
【図１２】
2005301014.tif 000014